(57)【要約】【課題】  操作軸にスラスト荷重が加わった場合においても、ハウジングの脱落を防止することができる回転型電気部品を提供する。【解決手段】  下面側が開口された箱状の収納部１ｃを有するケース１と、操作軸３ａを有し収納部１ｃに回転可能に保持された回転部材３と、第１の導電部を有し回転部材３の回転に伴い回転される導体板４と、収納部１ｃの開口部に係合されると共に、導体板４と摺接して電気信号を出力する第２の導電部を有するハウジング５とを備え、ケース１の収納部１ｃの外側に、収納部１ｃの周囲を囲むように外壁部１ｄを形成し、ケース１には、ハウジング５の底板部を覆うと共に、収納部１ｃの側壁面に延設される一対の側板７ｂを有する保護板７を設け、外壁部１ｄの内側で、保護板７を収納部１ｃに係止することによりハウジング５を収納部１ｃの開口部に保持した。【選択図】        図１
2007134223.tif 000002
【特許請求の範囲】
【請求項１】
下面側が開口された箱状の収納部を有するケースと、このケース上面に突出する操作軸を有し前記収納部に回転可能に保持された回転部材と、第１の導電部を有し前記回転部材に係合され該回転部材の回転に伴い回転される導体板と、上面開口の凹部を有し前記収納部の開口部に係合されると共に、前記凹部内に前記導体板と摺接して電気信号を出力する第２の導電部を有するハウジングとを備え、前記ケースの前記収納部の外側に、前記収納部の周囲を囲むように外壁部を形成し、前記ケースには、前記ハウジングの底板部を覆うと共に、前記収納部の側壁面に延設される一対の側板を有する保護板を設け、前記外壁部の内側で、前記保護板を前記収納部に係止することにより前記ハウジングを前記収納部の開口部に保持したことを特徴とする回転型電気部品。
【請求項２】
前記保護板を弾性を有する金属板で形成し、前記収納部の前記側壁面に外方へ突出する係止突起を設けると共に、前記保護板の前記一対の側板には係合孔を設け、前記保護板の前記係合孔と前記収納部の前記係止突起とをスナップ結合させて前記保護板を前記収納部に係止させたことを特徴とする請求項１記載の回転型電気部品。
【請求項３】
前記ハウジングは、前記第２の導電部から導出される複数のリード端子を備え、このリード端子は前記ケースの前記外壁部内に位置決めされ配置されていることを特徴とする請求項１、又は２記載の回転型電気部品。
【発明の詳細な説明】
【技術分野】
【０００１】
本発明は、各種電気機器に用いられ回転操作によって各種モード等の切り換えを行う回転型電気部品の構造に関する。
【背景技術】
【０００２】
従来の回転型電気部品の構造としては、ベースと、このベース内に回動可能に収納されたロータと、このロータを回転する回転軸と、ベースの開口を覆うカバーとを備え、回転軸を回転操作することにより、ロータが回転させられて、ロータに設けられた可動接点がベースに設けられた固定接点上を摺動して所望の信号が出力される構成のものが知られている（例えば、特許文献１参照）。
【０００３】
この従来の回転型電気部品の構造を図３に示す。図３は従来の回転型電気部品を示す断面図である。
【０００４】
図において、回転型電気部品は、ベース５１上面の複数の同心円上に、円弧状の固定接点５２を露出形成し、円板状のローター５３の下面に、先端に接点を有する複数の可動接点ばね片５４を備え、ベース５１の中心軸５５とローター５３の中心孔５６を回転自在に嵌合し、回転軸６０の回転操作でローター５３が回転し、ベース５１上面上を摺動する可動接点ばね片５４の接点が、固定接点５２と接離することにより、スイッチのオン／オフを行うようになっている。
【０００５】
そして、ベース５１にローター５３を回転可能に、且つ脱落しないように取付けるために、ローター５３の上面全体を覆うように金属板からなる取付カバー６１を設け、このカバー６１の左右側板に設けた係合孔６１ａ、６１ａに、ベース５１側に設けた係合突起６２、６２を係合して取付けていた。
【０００６】
【特許文献１】特開平１１−１６４４７号公報
【発明の開示】
【発明が解決しようとする課題】
【０００７】
しかしながら、従来の回転型電気部品においては、ローターが脱落しないようにローターの上面全体を覆って取付ける取付カバーを、金属板をプレス加工して設けており、この取付カバーは個々の寸法にばらつきがある上に、該取付カバーとベースとの取付手段である、取付カバーの係合孔とベースの係合突起の係合も寸法精度が低くばらつきがあるため、取付強度が低いという問題があった。
特に、合成樹脂製のベースで回転軸に加わるスラスト荷重（軸線方向の荷重）を受ける構造となっているため、取付強度が低いと、ベースがカバーから脱落してしまう可能性があった。
【０００８】
従って、本発明は上記した問題点を解決し、操作軸にスラスト荷重が加わった場合においても、ハウジングの脱落を防止することができる回転型電気部品を提供することを目的とする。
【課題を解決するための手段】
【０００９】
上記課題を解決するために本発明では第１の解決手段として、下面側が開口された箱状の収納部を有するケースと、このケース上面に突出する操作軸を有し前記収納部に回転可能に保持された回転部材と、第１の導電部を有し前記回転部材に係合され該回転部材の回転に伴い回転される導体板と、上面開口の凹部を有し前記収納部の開口部に係合されると共に、前記凹部内に前記導体板と摺接して電気信号を出力する第２の導電部を有するハウジングとを備え、前記ケースの前記収納部の外側に、前記収納部の周囲を囲むように外壁部を形成し、前記ケースには、前記ハウジングの底板部を覆うと共に、前記収納部の側壁面に延設される一対の側板を有する保護板を設け、前記外壁部の内側で、前記保護板を前記収納部に係止することにより前記ハウジングを前記収納部の開口部に保持した構成とした。
【００１０】
また、第２の解決手段として、前記保護板を弾性を有する金属板で形成し、前記収納部の前記側壁面に外方へ突出する係止突起を設けると共に、前記保護板の前記一対の側板には係合孔を設け、前記保護板の前記係合孔と前記収納部の前記係止突起とをスナップ結合させて前記保護板を前記収納部に係止させた構成とした。
また、第３の解決手段として、前記ハウジングは、前記第２の導電部から導出される複数のリード端子を備え、このリード端子は前記ケースの前記外壁部内に位置決めされ配置されている構成とした。
【発明の効果】
【００１１】
上述したように、本発明の回転型電気部品は、下面側が開口された箱状の収納部を有するケースと、ケース上面に突出する操作軸を有し収納部に回転可能に保持された回転部材と、第１の導電部を有し回転部材に係合され該回転部材の回転に伴い回転される導体板と、上面開口の凹部を有し収納部の開口部に係合されると共に、凹部内に導体板と摺接して電気信号を出力する第２の導電部を有するハウジングとを備え、ケースの収納部の外側に、収納部の周囲を囲むように外壁部を形成し、ケースには、ハウジングの底板部を覆うと共に、収納部の側壁面に延設される一対の側板を有する保護板を設け、外壁部の内側で、保護板を収納部に係止することによりハウジングを収納部の開口部に保持したことから、ハウジングは金属板からなる保護板によってケースの収納部の開口部に係合保持されることになり、操作軸に加わるスラスト荷重はケースに係止された保護板で受けるので、ハウジングの脱落強度が向上される。また、保護板はケースの外壁部の内側に配置されているので、外部からの荷重が直接係合部に加わることがなく確実な係合が得られる。
【００１２】
また、保護板を弾性を有する金属板で形成し、収納部の側壁面に外方へ突出する係止突起を設けると共に、保護板の一対の側板には係合孔を設け、保護板の係合孔と収納部の係止突起とをスナップ結合させて保護板を収納部に係止させたことから、取り付けが容易で作業性が向上されると共に、強度アップが可能で確実な係合が得られる。
また、ハウジングは、第２の導電部から導出される複数のリード端子を備え、リード端子はケースの外壁部内に位置決めされ配置されていることから、搬送時や組立時などに、リード端子の折れや変形を防止でき、製品信頼性が向上する。
【発明を実施するための最良の形態】
【００１３】
以下、本発明の実施の形態を図１、図２に示す。図１は本発明の実施例に係る回転型電気部品を示す分解斜視図、図２は本発明の実施例に係る回転型電気部品を後方から見た状態を示す斜視図である。
【００１４】
図において、ケース１は、合成樹脂等の絶縁材で略円筒状に形成されており、平板状の上板１ａと、この上板１ａ上に突出して形成された中空状の軸受１ｂと、上板１ａを介して軸受１ｂとは反対側に設けられた下面が開口された箱状の収納部１ｃと、この収納部１ｃの周囲を囲むように上板１ａの外周縁に廻らされた外壁部１ｄとを有している。
【００１５】
また、上板１ａには、突出して形成された一対の位置決め用のボス１ｅと、複数の係止用フック１ｆが設けられている。これらのボス１ｅと係止用フック１ｆにより、ケース１が図示しない電気機器の取付基板に位置決めされて取り付けられるものとなっている。
【００１６】
また、上板１ａに近接する外壁部の一部には、片持ち梁状に円弧状のアーム部１ｈが設けられており、このアーム部１ｈの自由端側には、上方に突出する突起１ｉと、下方に延出するＬ字状の係合片１ｊが設けられている。このアーム部１ｈは、自身の有する弾性により、図示しない電気機器の取付基板にスナップ係合して位置決めを行うものとなっている。
【００１７】
また、収納部１ｃには、その対向する一対の側壁面に外方へ突出する係止突起１ｋが設けられている。また、収納部１ｃの天面には一対の突部（図示せず）が設けられており、この突部に板ばね２が位置決めして固着されている。この板ばね２は、略円環状の薄板金属板からなり、対向する位置に設けられた一対の固着部２ａと、これら固着部２ａ間に弾性を保持して架設されたクリック板２ｂとを有している。
【００１８】
また、収納部１ｃの係止突起１ｋが設けられていない側壁面の一つには、切り欠き部１ｌが設けられ、この切り欠き部１ｌに対応するケース１の外壁部１ｄの一部には、外方へ開放する窓孔１ｍが設けられている。この切り欠き部１ｌに、後述するハウジング５から導出されたリード端子６が位置決めされて配置されると共に、リード端子６の先端が外壁部１ｄに設けられた窓孔１ｍに対向して配置されている。
【００１９】
回転部材３は、合成樹脂、あるいは亜鉛ダイキャストからなり、略円柱状の操作軸３ａと、この操作軸３ａの根元部に軸線方向とは直交する方向に円板状に設けられた回転体３ｂと、この回転体３ｂの下方に突出された支軸部３ｃとを有している。また、回転体３ｂの上面には、円周方向に複数の凹凸部からなるクリックカム部３ｄが設けられており、回転部材３がケース１の軸受１ｂに挿入された際には、このクリックカム部３ｄに板ばね２のクリック板２ｂが当接され、回転時のクリック感触を生起させるものとなっている。
【００２０】
また、回転体３ｂの下面には、導体板４が係合されている。この導体板４は、フェノール樹脂積層板等の絶縁材からなり、中央に貫通孔４ａを有する円板状をしており、回転部材３の支軸部３ｃが貫通孔４ａに挿通されて回転部材３の回転に伴って共回り可能となっている。また、導体板４の下面には、円周方向に銀やカーボンなどの導電材からなる複数の第１の導電部（図示せず）が形成されている。
【００２１】
ハウジング５は、合成樹脂等の絶縁材からなり、上面が開口された凹部５ａを有する箱形の矩形状に形成されている。このハウジング５の凹部５ａの内底面には、導電性の金属板からなる第２の導電部（図示せず）が内底面から突出した状態で形成されており、ハウジング５の一側面部には、第２の導電部から導出した複数のリード端子６が延出されて配設されている。
【００２２】
そして、このハウジング５がケース１の収納部１ｃの開口部に係合される際には、リード端子６が収納部１ｃの一側壁部に設けられた切り欠き部１ｌに位置決めされて配置されると共に、リード端子６の先端がケース１の外壁部１ｄに設けられた窓孔１ｍに対向して配置されるものとなっている。
【００２３】
また、ハウジング５のリード端子６が延出された一側面部と交差する方向の一対の側面部には、中央の互いに対向する位置に切り欠き部５ｂが設けられており、この切り欠き部５ｂを挟んで両側には、上面の開口方向に向かって先細に傾斜するくさび状をした一対の膨出部５ｃ、５ｃが設けられている。この膨出部５ｃを設けることにより、ハウジング５がケース１の収納部１ｃの開口部に係合される際には、ガタの発生が無く確実に係合されるものとなる。
【００２４】
保護板７は、金属板を折り曲げて形成しており、平板状の底板７ａと、一対の側板７ｂ、７ｂを有している。また、一対の側板７ｂ、７ｂには、矩形状の貫通孔からなる係合孔７ｃ、７ｃが設けられており、この係合孔７ｃ、７ｃが、ケース１の収納部１ｃの対向する一対の側壁面に設けられた外方へ突出する係止突起１ｋと係合されるものとなっている。
【００２５】
次に、本発明の回転型電気部品の組み立て方法を説明する。
まず、ケース１の収納部１ｃの天面に設けられた一対の突起（図示せず）に板ばね２の一対の固着部２ａを位置決めして、突起の先端をプレス等でかしめることにより板ばね２をケース１に固着する。
【００２６】
次に、回転体３ｂの下面に導体板４が係合された回転部材３の操作軸３ａを、ケース１の上板１ａ上に突出して形成された中空状の軸受１ｂに挿通して、回転体３ｂと導体板４を収納部１ｃに収容し、回転体３ｂの上面に設けられたクリックカム部３ｄに板ばね２のクリック板２ｂの中央を当接させた状態で回転部材３をケース１に組み込む。
【００２７】
次に、ハウジング５の凹部５ａを、ケース１の収納部１ｃの開口部に対向させた状態で収納部１ｃに挿入し、リード端子６を収納部１ｃの一側壁部に設けられた切り欠き部１ｌに位置決めして配置して、リード端子６の先端がケース１の外壁部１ｄに設けられた窓孔１ｍに対向して配置された状態で、ケース１に係合する。
【００２８】
この時、ハウジング５の一対の側面部に設けられた、くさび状をした一対の膨出部５ｃ、５ｃが、ケース１の収納部１ｃの開口部の内壁面と圧接されることによりガタの発生が無く確実に係合される。また、回転体３ｂの下面に係合された導体板４の下面に設けられた第１の導電部（図示せず）が、ハウジング５の凹部５ａの内底面に突出して設けられた第２の導電部（図示せず）と接触した状態となる。
【００２９】
次に、ハウジング５の底板部を覆うように、ケース１の収納部１ｃの下面側から保護板７を装着し、該保護板７の一対の側板７ｂ、７ｂを収納部１ｃの側壁面に係止することにより、ケース１の外壁部１ｄの内側に位置した状態で、保護板７によりハウジング５を収納部１ｃの開口部に保持する。
【００３０】
この時、保護板７の一対の側板７ｂ、７ｂに設けられた、矩形状の貫通孔からなる係合孔７ｃ、７ｃが、ケース１の収納部１ｃの対向する一対の側壁面に設けられた外方へ突出する係止突起１ｋと係合されるものとなる。この場合、保護板７は弾性を有する金属板で形成されていることから、保護板７の係合孔７ｃと収納部１ｃの係止突起１ｋとはスナップ結合されて保護板７が収納部１ｃに係止されるものとなっている。
【００３１】
上記構成の回転型電気部品は、ケース１の上板１ａに突出して設けられた一対の位置決め用のボス１ｅと、複数の係止用フック１ｆにより、図示しない電気機器の取付基板に位置決めされて取り付けられるものとなっている。
また、同時に円弧状のアーム部１ｈの自由端側に上方に突出する突起１ｉにより、スナップ係合して位置決めを行うものとなっている。
【００３２】
上記構成の回転型電気部品の動作を説明すると、回転部材３の操作軸３ａが回転操作された時、回転体３ｂが回転し、該回転体３ｂの下面に係合された導体板４の下面に設けられた第１の導電部（図示せず）が、ハウジング５の凹部５ａの内底面に突出して設けられた第２の導電部（図示せず）と摺接して、電気信号を出力するものとなる。尚、この時、回転体３ｂの上面に設けられたクリックカム部３ｄ上を、板ばね２のクリック板２ｂの中央が摺動することにより、回転時のクリック感が得られるものとなる。
【００３３】
上記した本発明の実施例によれば、ケース１の収納部１ｃの外側に、この収納部１ｃの周囲を囲むように外壁部１ｄを形成し、ケース１には、ハウジング５の底板部を覆うと共に、収納部１ｃの側壁面に延設される一対の側板７ｂ、７ｂを有する金属板製の保護板７を設け、外壁部１ｄの内側で、保護板７を収納部１ｃに係止することによりハウジング５を収納部１ｃの開口部に保持するようにしたので、ハウジング５は金属板からなる保護板７によってケース１の収納部１ｃの開口部に係合保持されることになり、操作軸３ａに加わるスラスト荷重（軸線方向の荷重）はケース１に係止された保護板７で受けるので、ハウジング５の脱落強度が向上されるものとなっている。
また、保護板７はケース１の外壁部１ｄの内側に配置されているので、外部からの荷重が直接係合部に加わることがなく、確実な係合が得られるものとなる。
【００３４】
また、保護板７を弾性を有する金属板で形成し、収納部１ｃの側壁面に外方へ突出する係止突起１ｋを設けると共に、保護板７の一対の側板７ｂ、７ｂには係合孔７ｃを設け、保護板７の係合孔７ｃと収納部１ｃの係止突起１ｋとをスナップ結合させて保護板７を収納部１ｃに係止させたことから、取り付けが容易で作業性が向上されると共に、強度アップが可能で確実な係合が得られるものとなっている。
また、ハウジング５は、第２の導電部から導出される複数のリード端子６を備え、このリード端子６はケース１の外壁部１ｄ内に位置決めされ配置されていることから、搬送時や組立時などに、リード端子６の折れや変形を防止でき、製品信頼性が向上するものとなっている。
【図面の簡単な説明】
【００３５】
【図１】本発明の実施例に係る回転型電気部品を示す分解斜視図である。
【図２】本発明の回転型電気部品を後方から見た状態を示す斜視図である。
【図３】従来の回転型電気部品を示す断面図である。
【符号の説明】
【００３６】
１：ケース
１ａ：上板
１ｂ：軸受
１ｃ：収納部
１ｄ：外壁部
１ｅ：ボス
１ｆ：係止用フック
１ｈ：アーム部
１ｉ：突起
１ｊ：係合片
１ｋ：係止突起
１ｌ：切り欠き部
１ｍ：窓孔
２：板ばね
２ａ：固着部
２ｂ：クリック板
３：回転部材
３ａ：操作軸
３ｂ：回転体
３ｃ：支軸部
３ｄ：クリックカム部
４：導体板
４ａ：貫通孔
５：ハウジング
５ａ：凹部
５ｂ：切り欠き部
５ｃ：膨出部
６：リード端子
７：保護板
７ａ：底板
７ｂ：側板
７ｃ：係合孔
【図１】
2007134223.tif 000003
【図２】
2007134223.tif 000004
【図３】
2007134223.tif 000005